(57)【要約】【課題】  施錠装置の設置スペースを狭小化し、結果として本体枠に設ける遊技盤の幅寸法を拡大化できるようにしたパチンコ遊技機を提供する。【解決手段】  パチンコ遊技機の施錠装置を、本体枠３の内側面に配置され作動部１９の作動により上下動する縦長平板状の作動杆３６と、外枠の内側面に配置され常態においては付勢手段によって本体枠３の係合部３１に係止する縦長平板状の本体枠用施錠杆６５と、前面枠５の内側面に配置され常態においては付勢手段によって本体枠３の係合部３０に係止する縦長平板状の前面枠用施錠杆９４によって構成した。【選択図】図１０
2016016143.tif 000002
【特許請求の範囲】
【請求項１】
外枠と、前記外枠の前面一側に開閉自在に軸着される本体枠と、前記本体枠の前面一側に開閉自在に軸着される前面枠と、前記外枠に対し前記本体枠を施錠し且つ前記本体枠に対し前記前面枠を施錠し得る施錠装置を備えたパチンコ遊技機において、
前記施錠装置は、前記本体枠に設けられる作動部と、前記本体枠の内側面に配置され前記作動部の作動により上下動する縦長平板状の作動杆と、前記外枠の内側面に配置され常態においては付勢手段によって前記本体枠の係合部に係止する縦長平板状の本体枠用施錠杆と、前記前面枠の内側面に配置され常態においては付勢手段によって前記本体枠の係合部に係止する縦長平板状の前面枠用施錠杆とからなり、
前記本体枠用施錠杆及び前記前面枠用施錠杆は、前記作動杆の上下動に連動し前記本体枠又は前記前面枠を開錠し得るようにしたことを特徴とするパチンコ遊技機。
【発明の詳細な説明】
【技術分野】
【０００１】
本発明は施錠装置を備えたパチンコ遊技機に関するものである。
【背景技術】
【０００２】
パチンコ遊技機は、基本的に外枠の前面に本体枠を開閉自在に設け、また、本体枠の前面に前面枠を開閉自在に設け、さらに、本体枠に施錠装置を設けて構成されている。そして、パチンコ遊技機に設けられる施錠装置としては、例えば特許文献１に示されているもののように１つのまとまりとして施錠装置を形成し、この１つのまとまりある施錠装置を本体枠に設けることが一般的である。すなわち、特許文献１の施錠装置は、本体枠の裏面に固着されシリンダー錠が設けられる平面コ字型の縦長の支持体の内部に、縦長平板状の作動杆と、外枠に係合する鉤部材と、前面枠を係合するガラス枠作動体とを集約して設け、これを１の施錠装置として構成している。
【先行技術文献】
【特許文献】
【０００３】
【特許文献１】特開２００４−２６１５２０号公報
【発明の概要】
【発明が解決しようとする課題】
【０００４】
ところで、近時、パチンコ遊技機は、遊技盤の遊技領域をいかに拡大するかが大きな課題となっている。すなわち、パチンコ遊技機の遊技盤に装着する可変表示装置や装飾部品等は、遊技の興趣を高める目的でどんどん大型化しており、それに伴って遊技盤における遊技球を流下させる領域が狭められているというのが現状である。そのため、遊技盤の幅寸法を少しでも拡大することがパチンコ遊技機設計における重大な課題となっている。
【０００５】
ここで、遊技盤が装着されるのは本体枠であるが、先に述べたとおり、この本体枠には施錠装置も装着されることになる。従って、この施錠装置の設置スペースを本体枠に設ける必要があり、その分、遊技盤の幅寸法を拡大する制約となってしまっているのが現状である。特に、特許文献１に記載されているもののように、施錠装置を１つのまとまりあるものとして構成すると、施錠装置自体の幅が拡がってしまうため、顕著に遊技盤の幅寸法拡大の制約となってしまうことになる。
【０００６】
そこで、本発明は、施錠装置の構成要素を外枠、本体枠、前面枠のそれぞれに分散することで、遊技盤が装着される本体枠における施錠装置の設置スペースを可能な限り狭小化し、上記のような課題を解決しようとするものである。
【課題を解決するための手段】
【０００７】
この課題を解決するために本発明は、外枠と、前記外枠の前面一側に開閉自在に軸着される本体枠と、前記本体枠の前面一側に開閉自在に軸着される前面枠と、前記外枠に対し前記本体枠を施錠し且つ前記本体枠に対し前記前面枠を施錠し得る施錠装置を備えたパチンコ遊技機において、前記施錠装置は、前記本体枠に設けられる作動部と、前記本体枠の内側面に配置され前記作動部の作動により上下動する縦長平板状の作動杆と、前記外枠の内側面に配置され常態においては付勢手段によって前記本体枠の係合部に係止する縦長平板状の本体枠用施錠杆と、前記前面枠の内側面に配置され常態においては付勢手段によって前記本体枠の係合部に係止する縦長平板状の前面枠用施錠杆とからなり、前記本体枠用施錠杆及び前記前面枠用施錠杆は、前記作動杆の上下動に連動し前記本体枠又は前記前面枠を開錠し得るようにしたことを特徴としている。
【発明の効果】
【０００８】
本発明は、施錠装置の構成要素を外枠、本体枠、前面枠のそれぞれに分散することで、遊技盤が装着される本体枠における施錠装置の設置スペースを可能な限り狭小化し、ひいては遊技盤の幅寸法の拡大化を可能としている。
【図面の簡単な説明】
【０００９】
【図１】パチンコ遊技機Ｐの正面斜視図。
【図２】外枠の正面斜視図。
【図３】本体枠の正面斜視図。
【図４】前面枠の正面斜視図。
【図５】本体枠の構成部材である下囲繞部材の右側面図。
【図６】（ａ）本体枠の構成部材である右囲繞部材の斜視図。（ｂ）右囲繞部材に設けられる作動機構の分解図。
【図７】外枠に設けられる前面枠施錠機構の分解斜視図。
【図８】（ａ）前面枠の構成部材である右側枠部材の正面斜視図。（ｂ）前面枠の構成部材である右側枠部材の背面斜視図。
【図９】（ａ）外枠に本体枠が閉止している状態を示す作用図。（ｂ）外枠から本体枠を開放する状態を示す作用図。
【図１０】（ａ）本体枠に前面枠が閉止している状態を示す作用図。（ｂ）本体枠から前面枠を開放する状態を示す作用図。
【発明を実施するための形態】
【００１０】
以下、本発明に係るパチンコ遊技機の実施の形態を図面に基づいて説明する。図１はパチンコ遊技機Ｐの正面斜視図である。パチンコ遊技機Ｐは、縦長な方形状に枠組み形成される外枠１と、該外枠１の一側にヒンジ機構２，２によって開閉自在に装着される本体枠３と、該本体枠３の前面一側にヒンジ機構４，４によって開閉自在に装着される前面枠５とによって概略構成されている。また、該パチンコ機Ｐには、外枠１に対し本体枠３を開放及び施錠し、本体枠３に対し前面枠５を開放及び施錠する施錠装置が設けられている。なお、この実施形態において「前側」とは、パチンコ遊技機Ｐの正面側、「後側」とは、パチンコ遊技機Ｐの背面側、「右側」「左側」とは、パチンコ遊技機Ｐを正面から見た場合の右側、左側をそれぞれ指すこととする。
【００１１】
前記外枠１は、図２に示すように上下に配置される上枠板１０及び下枠板１１、左右に配置される左側枠板１２及び右側枠板１３を組み合わせることで縦長な方形枠状に形成されている。具体的には、アルミニウム等の軽合金からなる正面視コ字形の左側枠板１２及び右側枠板１３の上下のそれぞれに木製の上枠板１０及び下枠板１１を固着することによって方形枠状に枠組み形成されている。また、下枠板１１の前方には、合成樹脂製の装飾カバー１４が装着されている。なお、外枠１の開放側内側面、すなわち、外枠１の右側枠板１３の内側面には、施錠装置を構成する本体枠用施錠機構Ｗ１が装着されている。
【００１２】
前記本体枠３は、図３に示すように上下に配置される上囲繞部材１５及び下囲繞部材１６、左右に配置される左囲繞部材１７及び右囲繞部材１８を組み合わせることで縦長な方形枠状に形成されており、そのサイズは、外枠１の装飾カバー１４を除く前面を略覆うサイズになっている。具体的には、合成樹脂製の上囲繞部材１５及び下囲繞部材１６の左右端部のそれぞれにアルミニウム等の軽合金からなる左囲繞部材１７及び右囲繞部材１８を固着することによって方形枠状に枠組み形成されている。また、本体枠３の下囲繞部材１６を除く部分は開放されており、この部位に図示はしないが遊技球を流下させる遊技盤が配設される。すなわち、下囲繞部材１６の上に遊技盤が配設されることになる。そして、遊技盤の後側には、球タンク、通路部材、球払出装置、各種制御基板等が配設されることになる。また、下囲繞部材１６には、図示はしないが打球発射装置等が配設されることになる。さらに、下囲繞部材１６の右側（開放側）よりの位置には、後述する施錠装置の操作部としてのシリンダー錠１９が装着されており、該下囲繞部材１６の右側面であって、シリンダー錠１９が装着されている箇所の後側には、図５に示すようにシリンダー錠１９のカム片２０を動作させるための空間部２１が形成されている。なお、本体枠３の開放側内側面、すなわち、本体枠３の右囲繞部材１８の内側面には、図６に示すように施錠装置を構成する作動機構Ｓが装着されている。
【００１３】
前記前面枠５は、上下に配置される上枠部材２５及び下枠部材２６、左右に配置される左側枠部材２７及び右側枠部材２８を組み合わせることで縦長な方形枠状に形成されており、そのサイズは、本体枠３の前面を略覆うサイズになっている。具体的には、上枠部材２５及び下枠部材２６の左右端部のそれぞれに左側枠部材２７及び右側枠部材２８を固着することによって方形枠状に枠組み形成されている。このうち、下枠部材２６は、本体枠３の下囲繞部材１６の前面全体を覆う板状に形成されている。また、この下枠部材２６の右側には、本体枠３に設けられたシリンダー錠１９を突出させるための貫通穴２９が設けられている。なお、これら枠部材２５，２６，２７，２８はすべてアルミニウム等の軽合金によって成形されている。また、前面枠５の下枠部材２６を除く部分は開放部になっており、図示はしないが該開放部を後方から塞ぐようにして一対の透明板ユニットが装着されることになる。さらに、前面枠５の下枠部材２６の前面には、図示はしないが球受皿、操作ハンドル等が装着されることになり、また、前面枠５の周囲前面には、装飾用の合成製樹脂カバーが装着されることになる。なお、前面枠５の開放側内側面、すなわち、前面枠１の右側枠部材２８の内側面には、施錠装置を構成する前面枠施錠機構Ｗ２が装着されている。
【００１４】
次に、パチンコ遊技機Ｐに装着された施錠装置について説明する。この施錠装置は、本体枠３の開放側内側面（右囲繞部材１８の内側面）及び本体枠３の下囲繞部材１６、外枠１の右側の内側面（右側枠板１３の内側面）、前面枠５の開放側内側面（右側枠部材２８の内側面）のそれぞれの部位に設けられて構成されている。具体的には、施錠装置は、本体枠３の右囲繞部材１８の内側面に設けられる作動機構Ｓ及び下囲繞部材１８に設けられる作動部としてのシリンダー錠１９、外枠１の右側枠板１３の内側面に設けられる本体枠用施錠機構Ｗ１、前面枠５の右側枠部材２８の内側面に設けられる前面枠用施錠機構Ｗ２によって構成されている。そこで、以下、これらをそれぞれの部位ごとに説明する。
【００１５】
前記作動機構Ｓは、前述のとおり、本体枠３の右囲繞部材１８に設けられているので、まず、右囲繞部材１８について説明する。右囲繞部材１８は、図６（ａ）に示すように縦長な平板状に形成されており、その幅方向中央よりもやや前側位置に段差Ｄが設けられ、前側板部１８ａと後側板部１８ｂとに区分けされている。すなわち、右囲繞部材１８は、前側板部１８ａが外側（右側）に位置し、後側板部１８ｂが内側（左側）に位置するように段差Ｄが設けられている。また、後側板部１８ｂの後端縁は略直角方向に折曲されて垂直板部１８ｃが形成されている。そして、右囲繞部材１８の幅方向前側であって長手方向の上方と中央よりもやや下方に後述する前面枠用施錠機構Ｗ２の前面枠用施錠杆〇〇の鉤〇を係止するための係止部としての前面枠係合金具３０，３０が取着されている。この前面枠係合金具３０は、板状の部材を直角に折曲して形成されており、右囲繞部材１８の前側板部１８ａと後側板部１８ｂのそれぞれに掛け渡すようにして装着されている。さらに、右囲繞部材１８の幅方向後側であって長手方向の上方に１つ、下方に２つの合計３つの矩形状の開口が穿設されている。具体的には、右囲繞部材１８の後側板部１８ｂと垂直板部１８ｃの双方に跨るようにして３つの開口が穿設されている。これら３つの開口のうち、上方のものと一番下に位置するものは、それぞれ後述する本体枠用施錠機構Ｗ１の本体枠用フック６６ａ，６６ｂを係止するための係止部としての係止開口３１，３１である。また、下側の外枠係合部３１のすぐ上に位置する開口は、後述する本体枠用施錠杆○の係止片○が挿入される開口部３２である。
【００１６】
そして、右囲繞部材１８の幅方向中央（後側板部１８ｂ）であって、その長手方向下方に作動機構Ｓが設けられている。この作動機構Ｓは、図６（ａ）（ｂ）に示すように、右囲繞部材１８の内側面に摺動自在に設けられる下摺動杆３４と該下摺動杆３４の上方に若干の間隔を離して配置される上摺動杆３５と、下摺動杆３４と上摺動杆３５の内側面に重合されるように配置される作動杆３６と、下摺動杆３４と上摺動杆３５に掛け渡されるコイルバネ３７によって概略構成されている。なお、下摺動杆３４，上摺動杆３５，及び作動杆３６は、本体枠３の下囲繞部材１６の空間部２１内に収まるように配置されている。
【００１７】
前記下摺動杆３４は、上下に所定長さを有する縦長平板状の底板部３４ａの上端から後側へ直角方向に延びる横板部３４ｂとからなる逆Ｌ字型をしており、その底板部３４ａが縦向きで右囲繞部材１８の後側板部１８ｂに沿うように配置されている。また、底板部３４ａの前後両側縁には内側へ直角に屈曲する案内壁４０，４０が形成されており、横板部３４ｂの後側縁には内側へ直角に屈曲する押下片４１が形成されている。なお、この押下片４１は、本体枠３を外枠１に閉止している時、後述する本体枠用施錠杆○の係止片○に当接した状態になっている。また、底板３４ａの中央部には縦長のスライド長孔４２が開設されていると共に、該底板部３４ａの上端縁には内側に屈曲する突片４３が設けられ、底板部３４ｂの下端部には内側へ屈曲する支持突起４４が設けられている。さらに、横板部３４ｂの上縁には、コイルバネ３７を掛け止めるためのバネ掛部４５が設けられている。
【００１８】
前記上摺動杆３５は、上下に所定長さを有する縦長平板状の底板部３５ａの上端から前側へ直角方向に延びる押上板部３５ｂとからなる逆Ｌ字型をしており、その底板部３５ａが縦向きで右囲繞部材１８の後側板部１８ｂに沿うように配置されている。また、底板部３５ａの前後両側縁には内側へ直角に屈曲する案内壁４７，４７が形成されている。さらに押上板３５ｂの上端縁には内側へ直角に屈曲する押上壁４８が形成され、押上板３５ｂの下端縁には内側へ直角に屈曲する下壁４９が形成されている。また、底板部３５ａの上方と下方のそれぞれに縦長のスライド長孔５０，５１が開設されていると共に、該底板部３５ａの長手方向略中央に支持突起５２が設けられている。さらに、底板部３５ａ後側の案内壁４７にコイルバネ３７を掛け止めるためのバネ掛部５３が設けられている。
【００１９】
前記作動杆３６は、縦長平板状の部材で、下摺動杆３４の支持突起３９と上摺動杆３５の支持突起４１の内側に位置するように配置されている。また、作動杆３６には、その上方と下方のそれぞれに縦長の案内長孔５５，５６が開設されていると共に、その中央に縦長矩形状の貫通孔５７が開設されている。なお、上側の案内長孔５５は、上摺動杆３５の下側のスライド長孔５１と重合し、下側の案内長孔５６は、下摺動杆３４のスライド長孔４２と重合している。また、貫通穴５７から下摺動杆３４の突片４３が突出している。さらに、作動杆３６の長手方向中央部の前側側縁には、内側に屈曲するカム受片５８が設けられている。このカム受片５８は、後述するシリンダー錠１９のカム片２０と係合している。そして、これら下摺動杆３４、上摺動杆３５、及び作動杆３６は、リベット５９によって右囲繞部材１８の内側面に装着されている。
【００２０】
なお、作動機構Ｓの一部をなすものとして本体枠３の下囲繞部材１６にシリンダー錠１９が設けられている。このシリンダー錠１９は図５に示されているように、円柱状の錠本体６０と、該錠本体６０の後端に設けられる取付片６１と、錠本体６０の後端から後方へ突出する錠軸６２に固着されるカム片２０とからなり、錠本体５５の前面には鍵穴６３が設けられている。また、カム片２０は、二股状に形成されており、その一端側が作動杆３６のカム受片５８の上縁に係合する第１係合突片２０ａとなっており、その他端側がカム受片５８の下縁に係合する第２係合突片２０ｂとなっている。すなわち、図５に示す第１係合突片２０ａと第２係合突片２０ｂの間に作動杆３６のカム受片５８が配置されている。なお、シリンダー錠１９は、錠本体５５が前面枠５の貫通穴２９を貫通することによって、前面枠５の前方から開施錠できるようになっている。
【００２１】
前記本体枠用施錠機構Ｗ１は、外枠１の右側枠板１３の内側面の後側縁に設けられている。すなわち、本体枠用施錠機構Ｗ１は、図７に示すように外枠１の右側枠板１３の内側面にその裏面が沿うように縦向きに配置され摺動自在に装着される本体枠用施錠杆６５と、該本体枠用施錠杆６５の上下に摺動自在に装着される本体枠用フック６６ａ，６６ｂと、該本体枠用施錠杆６５を覆うように配置されるカバー部材６７とによって概略構成されている。
【００２２】
前記本体枠用施錠杆６５は、縦長平板状の部材で、その長手方向の長さは略外枠の上端から下端に至る寸法に設定されている。また、本体枠用施錠杆６５の上端と下端のそれぞれにフック長孔６８ａ，６８ｂが開設されていると共に、フック長孔６８ａの下方とフック長孔６８ｂのやや上方にリベット用長孔７０，７０が開設されている。さらに、本体枠用施錠杆６５の下方前縁には、内側と前側に直角に屈曲させた折板状の押下げ板部７１が設けられていると共に、該押下げ板部７１のやや上方と下方のそれぞれにバネ掛け部７２，７３が設けられている。なお、本体枠用施錠杆６５の押下げ板部７１の下縁は、本体枠３を外枠１に閉止している時、作動機構Ｓの下摺動杆３４の押下片４１の上縁に当接した状態になっている。そして、本体枠用施錠杆６５上下のフック長孔６８ａ，６８ｂのそれぞれに本体枠用フック６６ａ，６６ｂが装着されている。これら本体枠用フック６６ａ，６６ｂは、縦長の基板７４の下部の前側縁に平面視Ｌ字型になるように上向きの鉤片部７５が突設されている。また、基板７４の下端には、摺動長孔７６が開設されており、基板７４の上前縁にはバネ掛け部７７が設けられている。
【００２３】
前記カバー部材６７は、縦長平板状の部材で、長手方向の長さは本体枠用施錠杆と同一の長さに設定されている。また、このカバー部材６７の後端縁には外側（右側）へ直角に屈曲する後折曲片部７８が形成されており、この後折曲片部７８の先端縁が外枠１の右側枠板１３の内側面に当接している。従って、カバー部材６７と外枠１の右側枠板１３との間に隙間ができ、この隙間に本体枠用施錠杆６５と本体枠用フック６６ａが収容されている。他方、カバー部材６７の前側縁には内側（左側）へ直角に屈曲する前折曲片部７９が形成されている。この前折曲片部７９の外側縁（右側縁）は、数箇所が切り欠かれていて、その切り欠きのうち、上方と下方のそれぞれ２箇所がフック用開口８０ａ，８０ｂとなっている。そして、上下のフック用開口８０ｂから本体枠用フック６６ａ，６６ｂの鉤片部７５が前方へ突出し、上下のフック用開口８０ａから本体枠用フック６６ａ，６６ｂのバネ掛け部７８が前方へ突出している。また、下側のフック用開口８０ａのやや上側の切り欠きは押上板用開口８１となっており、ここから本体枠用施錠杆６５の押下げ板部７１が突出している。また、押上板用開口８１の上側の切り欠きはバネ用開口８２となっており、ここから本体枠用施錠杆６５のバネ掛け部７３が突出している。なお、前折曲片部７９の前縁の上下それぞれ２箇所にバネ掛け部８３，８３が設けられており、これらバネ掛け部８３，８３と本体枠用フック６６ａ，６６ｂのバネ掛け部７７とにコイルバネ８４，８４が装着されている。また、前折曲片部７９の前縁であってバネ用開口８２の中間位置にバネ掛け部８５が設けられており、このバネ掛け部８５と本体枠用施錠杆６５のバネ掛け部７２とにコイルバネ８６が装着されている。そして、これら本体枠用施錠杆６５、本体枠用フック６６ａ，６６ｂ、及びカバー部材６７はリベット８７によって外枠１の右側枠板１３の内側面に装着されている。
【００２４】
前記前面枠用施錠機構Ｗ２は、前述のとおり、前面枠５の右側枠部材２８に設けられているので、まず、右側枠部材２８について説明する。右側枠部材２８は、図８に示すように細幅の縦長な平板状の周壁部２８ａと、該周壁部２８ａの後端縁を内側へ直角に屈曲させた内壁部２８ｂとによって形成されている。このうち、内壁部２８ｂは正面視門型形状になっている。すなわち、内壁部２８ｂは、中央部分が細幅となっており、その上下方向の両側は若干広幅になっており、さらにその上下方向の両側は広幅矩形状になっている。また、右側枠部材２８の隅角部上方には、２つの縦長スリット状の細長孔９０ａ，９０ｂが開設されており、隅角部下方には１つの縦長スリット状の細長孔９０ｃが開設されている。また、内壁部２８ｂの下側の若干広幅となっている部位には、作動機構Ｓの上摺動杆３５の押上板部３５ｂを突出させるための縦長矩形状の開口９２が開設されている。さらに内壁部２８ｂの下側の広幅矩形状になっている部位には、シリンダー錠１９の錠本体６０を突出させるための貫通穴２９が開設されている。なお、内壁部２８ｂであって開口９２のやや上方にはバネ掛け部９３が設けられている。
【００２５】
そして、図８（ａ）に示されているように、前面枠５の右側枠部材２８の内側面、すなわち、右側枠部材２８の周壁部２８ａの内側面に施錠機構Ｗ２を構成する前面枠用施錠杆９４が摺動自在に設けられている。この前面枠用施錠杆９４は、縦長平板状の部材で、その長手方向の長さは、右側枠部材２８の内壁部２８ｂの上側の広幅矩形状部分の下縁から下側の広幅矩形状部分の上縁の内法と略一致する長さになっている。そして、この前面枠用施錠杆９４には、その上方、中間、下方の３箇所にリベット用長孔９５，９５，９５が開設されている。また、前面枠用施錠杆９４の下端部には内側へ直角に屈曲する縦長矩形状の屈曲片９６が設けられており、この屈曲片９６には縦長矩形状の通孔９７が開設されている。さらに通孔９７の上縁には後方へ直角に屈曲する押上片９８が設けられている。なお、屈曲片９６の通孔９７は、右側枠部材２３の内壁部２８ｂの開口９２と合致しており、屈曲片９６の押上片９８は、右側枠部材２３の内壁部２８ｂの開口９２から後方へ突出している。また、前面枠用施錠杆９４の上端と下方であって屈曲片９６の上側には、後方へ突出する鉤片９９，９９が形成されていると共に、上側の鉤片９９の下方には後方へ突出する膨出片１００が形成されている。そして、これら上下の鉤片９９は、右側枠部材２３の細長孔９０ａ，９０ｃから後方へ突出し、膨出片１００は、右側枠部材２３の細長孔９０ｂから後方へ突出している。なお、膨出片１００は、その幅が下方に行くに従って漸次広がっており、その後側がデーパー状になっている。また、前面枠用施錠杆９４の下方よりの位置にはバネ掛け部１０１が設けられており、このバネ掛け部１０１と右側枠部材２３の内壁部２８ｂのバネ掛け部９３とにコイルバネ１０２が装着されている。そして、前面枠用施錠杆９４はリベット１０３によって前面枠５の右側枠部材２８の周壁部２８ａの内側面に装着されている。
【００２６】
次に本実施形態におけるパチンコ遊技機Ｐの施錠装置の作用について説明する。まず、図９を参照しながら外枠１と本体枠３の開閉動作から説明すると、本体枠３が外枠１に対し閉じている状態では、図９（ａ）に示すように、外枠１の右側枠板１３に設けられている本体枠用施錠機構Ｗ１の本体枠用フック６６ａ，６６ｂが、本体枠３の右囲繞部材１８に開設されている係止開口３１，３１の上縁に係止されている。この時、図９には図示されていないが、本体枠用フック６６ａ，６６ｂが装着されている本体枠用施錠杆６５は、コイルバネ８６によって上方に付勢されている。そのため、本体枠用フック６６ａ，６６ｂは本体枠３の右囲繞部材１８の係止開口３１，３１の上縁に下から強固に係止されている。すなわち、本体枠３が外枠１に対して施錠された状態になっている。
【００２７】
そして、外枠１と本体枠３の施錠を解き、本体枠３を外枠１から開放する場合、パチンコ遊技機Ｐの前面に位置するシリンダー錠１９の鍵穴６３に錠を差し込んで反時計回り方向へと錠を回転させる。これによって、シリンダー錠１９の錠軸６２と共にカム片２０が反時計回り方向に回転する。ここで、本体枠３に設けられている作動機構Ｓの作動杆３６のカム受片５８は、図９に示されていないがシリンダー錠１９のカム片２０の第１係合突片２０ａと第２係合突片２０ｂの間に位置している。そのため、カム片２０の回転により第１係合突起２０ａが図９（ｂ）の黒い矢印で示した部位から作動杆３６のカム受片５８を下方へと押下げ、作動杆３６自体も押下げられる。この時、作動杆３６の下縁が下摺動杆３４の支持突起４４に当接しているため、作動杆３６の下動に伴って下摺動杆３４も一緒に押下げられる。その結果、下摺動杆３４の押下げ片４１がコイルバネ３７の付勢に抗して外枠１の本体枠施錠杆６５の押下げ板部７１を押下げることになり、同時に本体枠用施錠杆６５の本体枠用フック６６ａ，６６ｂも下方へ移動する。これにより、本体枠用フック６６ａ，６６ｂは、右囲繞部材１８の係止開口３１，３１との係合が解除されるため、本体枠３が外枠１から開放される。
【００２８】
本体枠３が外枠１から開放されると、外枠１の本体枠用施錠杆６５は、コイルバネ８６の付勢力によって再び上動し元の位置に復帰する。また、同時に、本体枠３の下摺動杆３４及び作動杆３６もコイルバネ３７の付勢力によって再び上動し元の位置に復帰する。そして、この状態で本体枠３を外枠に対し閉止する時は、本体枠３を外枠１にそのまま押し込むことで閉止することができる。すなわち、本体枠３を外枠１に向けて押すと、本体枠３の係止開口３１，３１の上縁が外枠１の本体枠用施錠杆６５の本体枠用フック６６ａ，６６ｂの前縁に当接する。この時、本体枠用フック６６ａ，６６ｂの前縁は、テーパー状になっていることから、本体枠３の係止開口３１，３１の上縁が本体枠用フック６６ａ，６６ｂの前縁に押し上げられるように摺動し、係止開口３１，３１に本体枠用フック６６ａ，６６ｂは再び係止されることになる。
【００２９】
次いで図１０を参照しながら本体枠３と前面枠５の開閉動作について説明すると、前面枠５が本体枠３に対し閉じている状態では、図１０（ａ）に示すように、前面枠５の右側枠部材２８に設けられている前面枠用施錠杆９４の鉤片９９，９９が、本体枠３の右囲繞部材１８に装着されている前面枠係合金具３０，３０の上縁に係止されている。この時、前面枠用施錠杆９４は、コイルバネ１０２によって付勢されているため、前面枠用施錠杆９４の鉤片９９，９９は本体枠３の右囲繞部材１８の前面枠係合金具３０，３０の上縁に上から強固に係止されている。すなわち、前面枠５が本体枠３に対して施錠された状態になっている。
【００３０】
そして、本体枠３と前面枠５の施錠を解き、前面枠５を本体枠３から開放する場合、パチンコ遊技機Ｐの前面に位置するシリンダー錠１９の鍵穴６３に錠を差し込んで時計回り方向へと錠を回転させる。これによって、シリンダー錠１９の錠軸６２と共にカム片２０が時計回り方向に回転し、カム片２０の第２係合突起２０ｂが図１０（ｂ）の黒い矢印で示した部位から作動杆３６のカム受片５８を上方へと押上げ、作動杆３６自体も押上げられる。この時、作動杆３６の上縁が上摺動杆３５の支持突起５２に当接しているため、作動杆３６の上動に伴って上摺動杆３５も一緒に押上げられる。また、上摺動杆３５の押上板部３５ｂは、前面枠施錠杆９４の通孔９７に挿入された状態にあるため、上摺動杆３５の上動に伴って、上摺動杆３５の押上板部３５ｂがコイルバネ３７の付勢に抗して前面枠施錠杆９４を押上げることになり、同時に前面枠用施錠杆９４の鉤片９９，９９も上方へ移動する。これにより、前面枠用施錠杆９４の鉤片９９，９９は、本体枠３の右囲繞部材１８の前面枠係合金具３０，３０との係合が解除される。また、前面枠用施錠杆９４の上方には膨出片１００が設けられていることから、前面枠用施錠杆９４の上動の過程において該膨出片１００が前面枠係合金具３０に当接し、膨出片１００のテーパー部分によって、前面枠５が前方に押し出されるようになり、前面枠５が本体枠３からスムーズに開放される。
【００３１】
前面枠５が本体枠３から開放されると、前面枠５の前面枠用施錠杆９４は、コイルバネ１０２の付勢力によって再び上動し元の位置に復帰する。また、同時に、本体枠３の上摺動杆３５及び作動杆３６もコイルバネ３７の付勢力によって再び上動し元の位置に復帰する。そして、この状態で前面枠５を本体枠３に対し閉止する時は、前面枠５を本体枠３にそのまま押し込むことで閉止することができる。すなわち、前面枠５を本体枠３に向けて押すと、本体枠３の前面枠係合金具３０，３０の上縁に前面枠５の前面枠用施錠杆９４の鉤片９９，９９の前縁が当接する。この時、鉤片９９，９９の前縁は、テーパー状になっていることから、本体枠３の前面枠係合金具３０，３０の上縁によって鉤片９９，９９の前縁が押し上げられるように摺動し、前面枠係合金具３０，３０に鉤片９９，９９は再び係止されることになる。
【００３２】
以上のように、本実施形態におけるパチンコ遊技機は、施錠装置を外枠、本体枠、前面枠のそれぞれに分散して構成し、且つそれらの要素は、縦長平板状の部材で構成しているためパチンコ遊技機における省スペース化を図ることができる。特に、遊技盤が配設される本体枠には、作動機構のみを設け、しかも該作動機構は、本体枠の右囲繞部材の内側面であり、且つ下囲繞部材の側方という小さなスペースに収まるように設けているので、その分、遊技盤の幅寸法を拡大することを可能にしている。
【符号の説明】
【００３３】
Ｐ          パチンコ遊技機
１          外枠
３          本体枠
５          前面枠
３０        係合部（前面枠係合金具）
３１        係合部（係止開口）
３６        作動杆
３７        付勢手段（コイルバネ）
６５        本体枠用施錠杆
８６        付勢手段（コイルバネ）
９４        前面枠用施錠杆
【図１】
2016016143.tif 000003
【図２】
2016016143.tif 000004
【図３】
2016016143.tif 000005
【図４】
2016016143.tif 000006
【図５】
2016016143.tif 000007
【図６】
2016016143.tif 000008
【図７】
2016016143.tif 000009
【図８】
2016016143.tif 000010
【図９】
2016016143.tif 000011
【図１０】
2016016143.tif 000012